(57)【要約】【課題】電源スイッチをロックするための機械的機構を用いずに電源の誤投入を確実に防止することができるカメラを提供する。【解決手段】リモートコントローラーからレリーズ信号を受信すると（ステップＳ１）、ステップＳ２でリモコン受付モードが動作中であるか否かを確認し、リモコン受付モードが動作中であればステップＳ３に進み、動作中でなければフローを終了する。ステップＳ３では、電源スイッチ２３が切であるかを確認し、切であればステップＳ４に進み、切でなければフローを終了する。ステップＳ４では、電源スイッチ２３の電源投入機能の停止又は停止の解除を行う。【選択図】      図４
2004177687.tif 000002
【特許請求の範囲】
【請求項１】
レリーズ信号を発信することで、遠隔から撮影指示を与えることができるリモートコントローラーを備えたカメラであって、
カメラ本体の電源スイッチの入・切の状態に拘わらず、前記リモートコントローラーからの信号を受け付けることができるリモコン受付モードを備え、前記リモコン受付モードが動作中で、且つ前記電源スイッチが切の状態のときに、前記リモートコントローラーから前記レリーズ信号を受信した場合は、前記電源スイッチの電源投入機能の停止又は停止の解除を行うことを特徴とするカメラ。
【請求項２】
複数のスイッチによって様々な遠隔操作をすることができるリモートコントローラーを備えたカメラであって、
カメラ本体の電源スイッチの入・切の状態に拘わらず、前記リモートコントローラーからの信号を受け付けることができるリモコン受付モードを備え、前記リモコン受付モードが動作中で、且つ前記電源スイッチが切の状態のときに、前記リモートコントローラーから任意の信号を受信した場合には、前記電源スイッチの電源投入機能の停止又は停止の解除を行うことを特徴とするカメラ。
【請求項３】
前記電源スイッチの電源投入機能を停止したときの前記リモートコントローラーからの信号内容を記憶する記憶手段を備え、
前記電源スイッチの電源投入機能が停止されている状態で前記リモートコントローラーから受信した信号が前記記憶手段内の情報と合致した場合には、前記電源スイッチの電源投入機能の停止を解除することを特徴とする請求項２記載のカメラ。
【請求項４】
前記リモコン受付モードが動作中で、且つ、前記電源スイッチが切の状態のときに前記リモートコントローラーから所定の信号を受信した場合は、その受信した信号が前記記憶手段内の情報と合致しなくても前記電源スイッチの電源投入機能の停止を解除することを特徴とする請求項３記載のカメラ。
【請求項５】
前記電源スイッチの電源投入機能が停止中の状態で、前記電源スイッチが操作された場合には、電源投入機能が停止中であることを表示するようにしたことを特徴とする請求項１から４のいずれかに記載のカメラ。
【請求項６】
前記電源スイッチの電源投入機能が停止中の状態で、前記電源スイッチが操作された場合には、電源投入機能が停止中であることを表示すると共に自動的に前記リモコン受付モードになることを特徴とする請求項１から４のいずれかに記載のカメラ。
【請求項７】
前記電源スイッチの電源投入機能が停止中の状態で、前記電源スイッチが所定の操作をされた場合には、前記電源スイッチの電源投入機能の停止を解除することを特徴とする請求項１から４のいずれかに記載のカメラ。
【発明の詳細な説明】
【０００１】
【発明の属する技術分野】
本発明は、本体に電源スイッチが設けられたカメラに関する。
【０００２】
【従来の技術】
内蔵電池で作動する一般的なカメラでは、本体に電源スイッチを備え、電力消費の多い「入」の状態と電力消費の少ない「切」の状態とが切り替えられるようになっている。しかし、カメラをカメラケースに納めるときや鞄に入れるときなどに電源スイッチが当たって電源が入ってしまうことがある。また、例えば、子供が触っているときに無意識のうちに電源を入れてしまうこともある。この場合には、目の前でストロボが発光するような問題が生じたり、撮影レンズを手で触ってしまうといったことも起こる。
近年では、勝手にスイッチが入っても、マイコン制御によって一定時間の経過後に自動的にスイッチが切れるようにしたものや、所定時間電源スイッチを押し続けないとスイッチが入らないようにしたものや、電源投入機能をロックするための機械的な機構を電源スイッチに付与したものが登場している。
【０００３】
【発明が解決しようとする課題】
しかしながら、スイッチが入ると自動的にレンズ胴鏡がせり出すタイプのカメラでは、上述のように、一定時間経過後に自動的にスイッチが切れるようにしても、せり出し用のスペースが確保されていない状態でスイッチが入ると機械的な負荷がかかり、故障の原因となる。また、電源スイッチを押し続けることで電源が投入されるカメラでは、電源スイッチが物に当たったままになり、スイッチが入ってしまうことが生じ得るし、詳しい操作方法を理解していない操作者は電源を入れることができないという問題も生じる。さらに、機械的なロック機構を設けたカメラでは、構成部材が増えてコストアップを招くと共にスペース上の問題も発生する。
そこで、本発明は、上述の問題点を解決するためになされたもので、電源スイッチをロックするための機械的機構を用いずに電源の誤投入を確実に防止することができるカメラを提供することを目的とする。
【０００４】
【課題を解決するための手段】
上述の問題点を解決するために、請求項１記載の発明では、レリーズ信号を発信することで、遠隔から撮影指示を与えることができるリモートコントローラーを備えたカメラであって、カメラ本体の電源スイッチの入・切の状態に拘わらず、前記リモートコントローラーからの信号を受け付けることができるリモコン受付モードを備え、前記リモコン受付モードが動作中で、且つ前記電源スイッチが切の状態のときに、前記リモートコントローラーから前記レリーズ信号を受信した場合は、前記電源スイッチの電源投入機能の停止又は停止の解除を行うカメラを最も主要な特徴とする。
請求項２記載の発明では、複数のスイッチによって様々な遠隔操作をすることができるリモートコントローラーを備えたカメラであって、カメラ本体の電源スイッチの入・切の状態に拘わらず、前記リモートコントローラーからの信号を受け付けることができるリモコン受付モードを備え、前記リモコン受付モードが動作中で、且つ前記電源スイッチが切の状態のときに、前記リモートコントローラーから任意の信号を受信した場合には、前記電源スイッチの電源投入機能の停止又は停止の解除を行うカメラを主要な特徴とする。
請求項３記載の発明では、前記電源スイッチの電源投入機能を停止したときの前記リモートコントローラーからの信号内容を記憶する記憶手段を備え、前記電源スイッチの電源投入機能が停止されている状態で前記リモートコントローラーから受信した信号が前記記憶手段内の情報と合致した場合には、前記電源スイッチの電源投入機能の停止を解除するカメラを主要な特徴とする。
請求項４記載の発明では、前記リモコン受付モードが動作中で、且つ、前記電源スイッチが切の状態のときに前記リモートコントローラーから所定の信号を受信した場合は、その受信した信号が前記記憶手段内の情報と合致しなくても前記電源スイッチの電源投入機能の停止を解除するカメラを主要な特徴とする。
請求項５記載の発明では、前記電源スイッチの電源投入機能が停止中の状態で、前記電源スイッチが操作された場合には、電源投入機能が停止中であることを表示するようにしたカメラを主要な特徴とする。
請求項６記載の発明では、前記電源スイッチの電源投入機能が停止中の状態で、前記電源スイッチが操作された場合には、電源投入機能が停止中であることを表示すると共に自動的に前記リモコン受付モードになるカメラを主要な特徴とする。
請求項７記載の発明では、前記電源スイッチの電源投入機能が停止中の状態で、前記電源スイッチが所定の操作をされた場合には、前記電源スイッチの電源投入機能の停止を解除するカメラを主要な特徴とする。
【０００５】
【発明の実施の形態】
以下、図面により本発明の実施の形態を詳細に説明する。図１は本発明の実施の形態であるカメラ１００の回路構成を示すブロック図である。なお、カメラ１００は図示しないリモートコントローラーを備え、遠隔操作による撮影が可能である。図１に示すように、カメラ１００の制御回路はＣＰＵ１０を中心に構成され、ＣＰＵ１０にはシャッター駆動回路１１、ズーム駆動回路１２、フォーカス駆動回路１３、フィルム給送回路１４、リモコン信号検出回路１５、記憶回路１６、操作スイッチ１７、表示手段１８、測光回路１９、測距回路２０、ストロボ回路２１が接続されている。
シャッター駆動回路１１はシャッター速度の制御信号をＣＰＵ１０から受け取り、シャッターを駆動する。ズーム駆動回路１２はズームモーターによって図示しないズームレンズを駆動するための回路である。フォーカス駆動回路１３は被写体までの距離とレンズの焦点距離を合わせるための回路である。フィルム給送回路１４はＣＰＵ１０からの指示にしたがってフィルム送りや巻き上げを行う。リモコン信号検出回路１５はリモートコントローラーからの信号を受信し、ＣＰＵ１０に送る。記憶回路１６はリモコン信号検出回路１５が受信した信号内容を記憶するための記憶手段である。
操作スイッチ１７はカメラ１００の本体２２に設けられた押しボタン式のスイッチであり、図２に示すように、電源の入・切を切り替えるための電源スイッチ２３と、撮影ボタンとしてのレリーズスイッチ２４と、リモートコントローラーからの信号を受け付けることができるリモコン受付モードを切り替えるためのリモコンスイッチ２５と、タイマー撮影を設定するためのセルフスイッチ２６と、撮影時のストロボ使用を設定するためのストロボスイッチ２７とで構成されている。各スイッチからの信号はＣＰＵ１０に送られ処理される。なお、図２は電源スイッチ２３が入の状態を示しており、そのため、ズームレンズ胴鏡２２ａが本体２２からせり出した状態となっている。
表示手段１８は図２に示すように、本体２２に設けられた液晶表示器である。図３に示すように、表示手段１８には、フィルム残数を示すフィルムカウンター表示部２８、リモコン受付モードであることを示すモード表示部２９、撮影時にストロボが使用されることを示すストロボ表示部３０、タイマー撮影に設定されていることを示すセルフタイマー表示部３１、電源スイッチ２３（図２）の電源投入機能が停止中であるか否かを示す電源ロック表示部３２が構成されている。測光回路１９は図示しない測光装置による被写体の測光情報を処理し、ＣＰＵ１０に入力する。測距回路２０は図示しない測距装置による被写体の測距情報を処理し、ＣＰＵ１０に入力する。ストロボ回路２１はストロボスイッチ２７（図２）の設定によって作動し、撮影タイミングに合わせてストロボを発光させる。
【０００６】
ここで、カメラ１００の動作について説明する。まず、第１の実施例について図４のフローチャートを用いて説明する。この例は、リモートコントローラーが少なくともレリーズ信号を送信するための操作スイッチを備えた場合であって、カメラ本体において、リモコン受付モードが動作中で、且つ電源スイッチ２３（図２）が切の状態のときに、リモートコントローラーからレリーズ信号（撮影指示信号）を受信した場合には、電源スイッチ２３の電源投入機能の停止又は停止の解除を行うようにしたものである。
図４において、まず、リモートコントローラーからレリーズ信号を受信すると（ステップＳ１）、ステップＳ２に移ってリモコン受付モードが動作中であるか否かを確認し、図５のように表示手段１８のモード表示部２９が示すようにリモコン受付モードが動作中であればステップＳ３に進み、動作中でなければフローを終了する。ステップＳ３では、電源スイッチ２３が切であるかを確認し、切であればステップＳ４に進み、切でなければフローを終了する。ステップＳ４では、電源スイッチ２３の電源投入機能の停止又は停止の解除を行う。ここで、停止とは、電源減投入機能が停止されていないときにこれを停止する動作であり、この場合、図６のように表示手段１８の電源ロック表示部３２が表示される、また、停止の解除とは、電源投入機能が停止されている状態を解除する動作であり、図５のように表示手段１８の電源ロック表示部３２は表示されない。ステップＳ４での動作が完了すると、フローは終了する。
このように、第１の実施例では、リモートコントローラーからレリーズ信号を発信することで電源スイッチ２３の電源投入機能の停止又は停止の解除を行うことができるので、カメラ本体の電源スイッチ２３が誤って操作されても電源が投入されることがなく、電源の誤投入を確実に防止することができる。また、電源スイッチ２３には機械的なロック機構を用いていないので、現行の機構設計を変更する必要がない。このため、部品コストの上昇や部品スペースなどの問題を発生させずにすむ。
【０００７】
次に、カメラ１００の第２の実施例について図７のフローチャートを用いて説明する。この例は、様々な遠隔操作ができるようにリモートコントローラーに複数のスイッチを備えた場合であって、カメラ本体において、リモコン受付モードが動作中で、且つ電源スイッチ２３（図２）が切の状態のときに、リモートコントローラーから任意の信号を受信した場合には、電源スイッチ２３の電源投入機能の停止又は停止の解除を行うようにしたものである。
この例では、リモートコントローラーの送出信号は、混信を防ぐために使用し、メーカーやリモートコントローラーの種類を示すメーカーコード部分、レリーズや日付合わせなどの命令を示すコマンド部分、日付の内容などを示すデータ部分とにより構成される。例えば、レリーズ信号の場合はメーカーコードとレリーズコマンドから構成され、日付合わせはメーカーコードと日付合わせコマンドと日付データから構成される。
【０００８】
図７において、まず、リモートコントローラーのいずれかのスイッチによって任意の信号を発信し、カメラ本体がこれを受信すると（ステップＳ１１）、ステップＳ１２に移ってリモコン受付モードが動作中であるか否かを確認し、図５で表示手段１８のモード表示部２９が示すようにリモコン受付モードが動作中であればステップＳ１３に進み、動作中でなければフローを終了する。ステップＳ１３では、電源スイッチ２３が切であるかを確認し、切であればステップＳ１４に進み、切でなければフローを終了する。ステップＳ１４では、電源スイッチ２３の電源投入機能の停止又は停止の解除をおこなう。ここで、停止とは、電源投入機能が停止されていないときにこれを停止する動作であり、この場合、図６のように表示手段１８の電源ロック表示部３２が表示される、また、停止の解除とは、電源投入機能が停止されている状態を解除する動作であり、図５のように表示手段１８の電源ロック表示部３２は表示されない。ステップＳ１４での動作が完了すると、フローは終了する。
このように、第２の実施例では、電源スイッチ２３の電源投入機能の停止又は停止の解除がリモートコントローラーからの任意の信号によって行われるので、リモートコントローラーに複数のスイッチがあっても特定のスイッチを選択操作する必要がない。したがって、電源投入機能の停止又は停止の解除のためのリモコン操作が簡単である。また、電源投入機能の停止又は停止の解除をリモートコントローラーによって行うので、カメラ本体の電源スイッチ２３が誤って操作されても電源が投入されることがなく、電源の誤投入を確実に防止することができる。また、電源スイッチ２３には機械的なロック機構を用いていないので、現行の機構設計を変更する必要がない。このため、部品コストの上昇や部品スペースなどの問題を発生させずにすむ。
【０００９】
次に、カメラ１００の第３の実施例について図８のフローチャートを用いて説明する。この例は、第２の実施例で説明した複数のスイッチを備えたリモートコントローラーを用いた場合であって、電源スイッチ２３（図２）の電源投入機能を停止したときのリモートコントローラーから送信された信号内容を記憶手段に記憶するようにして、電源スイッチ２３の電源投入機能が停止されている状態でリモートコントローラーから受信した信号が記憶手段内の情報と合致した場合には、電源スイッチ２３の電源投入機能の停止を解除するようにしたものである。図８において、まず、リモートコントローラーからの信号を受信すると（ステップＳ２１）、ステップＳ２２に移って電源スイッチ２３の電源投入機能が停止中であるか否かを確認し、停止中でなければステップＳ２３に移り、リモコン受付モードが動作中であるか否かを確認し、リモコン受付モードが動作中であればステップＳ２４に進み、動作中でなければフローを終了する。ステップＳ２４では、電源スイッチ２３が切であるかを確認し、切であればステップＳ２５に進み、切でなければフローを終了する。ステップＳ２５では、ステップＳ２１で受信した信号内容を記憶手段１８（図１）に記憶する。この後、ステップＳ２６ヘ進み、電源スイッチ２３の電源投入機能を停止し、終了する。
ステップＳ２２において、電源スイッチ２３の電源投入機能が停止中であれば、ステップＳ２１で受信した信号が記憶手段１８（図１）に記憶している情報と合致するか否かを判断し（ステップＳ２７）、合致しなければフローを終了し、合致すれば電源スイッチ２３の電源投入機能の停止を解除する（ステップＳ２８）。ステップＳ２８での動作が完了すると、フローは終了する。例えば、リモートコントローラーから送出された信号のメーカーコードが一致した場合は電源投入機能を停止すると共にコマンド部分の信号内容を記憶手段１８に記憶する。電源投入機能の停止を解除するときは、送出された信号のメーカーコードの一致を判定すると共に、記憶手段１８のコマンド部分が一致しているかどうかも判定する。
このように、第３の実施例では、電源スイッチ２３の電源投入機能が停止されている状態でリモートコントローラーから信号を受信した場合は、その受信信号が記憶手段内の情報と合致したときのみ電源スイッチ２３の電源投入機能の停止が解除されるので、解除動作の確実性を向上させることができる。また、電源投入機能の停止又は停止の解除をリモートコントローラーによって行うので、カメラ本体の電源スイッチ２３が誤って操作されても電源が投入されることがなく、電源の誤投入を確実に防止することができる。また、電源スイッチ２３には機械的なロック機構を用いていないので、現行の機構設計を変更する必要がない。このため、部品コストの上昇や部品スペースなどの問題を発生させずにすむ。
【００１０】
次に、カメラ１００の第４の実施例について図９のフローチャートを用いて説明する。この例は、複数のスイッチを備えたリモートコントローラーを備え、電源スイッチ２３（図２）の電源投入機能を停止したときのリモートコントローラーからの信号内容を記憶手段に記憶するようにした場合において、電源スイッチ２３の電源投入機能が停止されている状態でリモートコントローラーから所定の信号を受信した場合には、その信号が記憶手段に記憶されている情報と合致しなくても電源スイッチ２３の電源投入機能の停止を解除するようにしたものである。所定の信号とは例えば、上述のコマンド部分の信号である。
図９において、まず、リモートコントローラーから所定の信号を受信すると（ステップＳ３１）、ステップＳ３２に移って電源スイッチ２３の電源投入機能が停止中であるか否かを確認し、停止中でなければステップＳ３３に移り、リモコン受付モードが動作中であるか否かを確認し、リモコン受付モードが動作中であればステップＳ３４に進み、動作中でなければフローを終了する。ステップＳ３４では、電源スイッチ２３が切であるかを確認し、切であればステップＳ３５に進み、切でなければフローを終了する。ステップＳ３５では、ステップＳ３１で受信した信号内容を記憶手段１８（図１）に記憶する。この後、ステップＳ３６ヘ進み、電源スイッチ２３の電源投入機能を停止し、終了する。
ステップＳ３２において、電源スイッチ２３の電源投入機能が停止中であれば、ステップＳ２１で受信した信号が記憶手段１８（図１）に記憶している情報と合致しなくても電源スイッチ２３の電源投入機能の停止を解除する（ステップＳ３７）。ステップＳ３７での動作が完了すると、フローは終了する。
このように、第４の実施例では、電源スイッチ２３の電源投入機能が停止されている状態でリモートコントローラーから所定の信号を受信した場合には、その信号が記憶手段に記憶されている情報と合致しなくても電源スイッチ２３の電源投入機能の停止が解除されるので、記憶手段内の情報に関係なく、停止状態の解除を実行できる。たとえ、記憶手段に記憶させたときのスイッチ操作を忘れてしまっても停止状態からの解除が可能である。また、電源投入機能の停止又は停止の解除をリモートコントローラーによって行うので、カメラ本体の電源スイッチ２３が誤って操作されても電源が投入されることがなく、電源の誤投入を確実に防止することができる。また、電源スイッチ２３には機械的なロック機構を用いていないので、現行の機構設計を変更する必要がない。このため、部品コストの上昇や部品スペースなどの問題を発生させずにすむ。
【００１１】
次に、カメラ１００の第５の実施例について説明する。この例では、電源スイッチ２３（図２）の電源投入機能が停止中の状態で電源スイッチ２３が操作された場合には、電源投入機能が停止中であることが表示されるようになっている。この場合、図６に示すように、電源ロック表示部３２が表示手段１８内に点灯する。なお、この機能は第１〜第４の実施例に対して適用することが可能である。したがって、第５の実施例では、電源スイッチ２３の電源投入機能が停止中の状態で電源スイッチ２３が操作された場合には、電源投入機能が停止中であることが表示されるので、操作者はカメラの設定状況を視覚的に知ることができて便利である。例えば、カメラの異常と誤解されることを防止することができる。
次に、カメラ１００の第６の実施例について説明する。この例では、電源スイッチ２３（図２）の電源投入機能が停止中の状態で、電源スイッチ２３が操作された場合には、電源投入機能が停止中であることを表示すると共に自動的にリモコン受付モードが設定されるようになっている。この場合、図６に示すように、電源ロック表示部３２とモード表示部２９が表示手段１８内に点灯する。なお、この機能は第１〜第４の実施例に対して適用することが可能である。
したがって、第６の実施例では、電源スイッチ２３の電源投入機能が停止中の状態で電源スイッチ２３が操作された場合には、電源投入機能が停止中であることを表示すると共に自動的にリモコン受付モードに設定されるので、操作者はカメラの設定状況を視覚的に知ることができると共に操作者による電源投入機能の停止解除動作が容易になる。
次に、カメラ１００の第７の実施例について説明する。この例では、電源スイッチ２３（図２）の電源投入機能が停止中の状態で、電源スイッチ２３が所定の操作をされた場合には、電源スイッチ２３の電源投入機能の停止が解除される。この場合、図５に示すように、表示手段１８内の電源ロック表示部３２が消灯する。なお、この機能は第１〜第４の実施例に対して適用することが可能である。したがって、第７の実施例では、電源スイッチ２３の電源投入機能が停止中の状態で、電源スイッチ２３が所定の操作をされた場合には、電源スイッチ２３の電源投入機能の停止が解除されるので、リモートコントローラーの故障や紛失によって送信操作ができない場合でも電源投入機能の停止を解除することができる。
【００１２】
【発明の効果】
以上説明したように、請求項１によれば、リモートコントローラーからレリーズ信号を発信することで電源スイッチの電源投入機能の停止又は停止の解除を行うことができるので、カメラ本体の電源スイッチが誤って操作されも電源は投入されず、電源の誤投入を確実に防止することができる。また、電源スイッチには機械的なロック機構を用いていないので、現行の機構設計を変更する必要がない。このため、部品コストの上昇や部品スペースなどの問題を発生させずにすむ。請求項２によれば、電源スイッチの電源投入機能の停止又は停止の解除がリモートコントローラーからの任意の信号によって行われるので、リモートコントローラーに複数のスイッチがあっても特定のスイッチを選択操作する必要がない。したがって、電源投入機能の停止又は停止の解除のためのリモコン操作が簡単である。また、電源投入機能の停止又は停止の解除をリモートコントローラーによって行うので、カメラ本体の電源スイッチが誤って操作されても電源が投入されることがなく、電源の誤投入を確実に防止することができる。また、電源スイッチには機械的なロック機構を用いていないので、現行の機構設計を変更する必要がない。このため、部品コストの上昇や部品スペースなどの問題を発生させずにすむ。
請求項３によれば、電源スイッチの電源投入機能が停止されている状態でリモートコントローラーから信号を受信した場合は、その受信信号が記憶手段内の情報と合致したときのみ電源スイッチの電源投入機能の停止が解除されるので、解除動作の確実性を向上させることができる。また、電源投入機能の停止又は停止の解除をリモートコントローラーによって行うので、カメラ本体の電源スイッチが誤って操作されても電源が投入されることがなく、電源の誤投入を確実に防止することができる。また、電源スイッチには機械的なロック機構を用いていないので、現行の機構設計を変更する必要がない。このため、部品コストの上昇や部品スペースなどの問題を発生させずにすむ。
【００１３】
請求項４によれば、電源スイッチの電源投入機能が停止されている状態でリモートコントローラーから所定の信号を受信した場合には、その信号が記憶手段に記憶されている情報と合致しなくても電源スイッチの電源投入機能の停止が解除されるので、記憶手段内の情報に関係なく、停止状態の解除を実行できる。たとえ、記憶手段に記憶させたときのスイッチ操作を忘れてしまっても停止状態からの解除が可能である。また、電源投入機能の停止又は停止の解除をリモートコントローラーによって行うので、カメラ本体の電源スイッチが誤って操作されても電源が投入されることがなく、電源の誤投入を確実に防止することができる。また、電源スイッチには機械的なロック機構を用いていないので、現行の機構設計を変更する必要がない。このため、部品コストの上昇や部品スペースなどの問題を発生させずにすむ。
請求項５によれば、電源スイッチの電源投入機能が停止中の状態で電源スイッチが操作された場合には、電源投入機能が停止中であることが表示されるので、操作者に対してカメラの設定状況を視覚的に知らせることができる。例えば、カメラの異常と誤解されることを防止することができる。
請求項６によれば、電源スイッチの電源投入機能が停止中の状態で電源スイッチが操作された場合には、電源投入機能が停止中であることを表示すると共に自動的にリモコン受付モードに設定されるので、操作者に対してカメラの設定状況を視覚的に知らせることができると共に操作者による電源投入機能の停止解除動作が容易になる。
請求項７によれば、電源スイッチの電源投入機能が停止中の状態で、電源スイッチが所定の操作をされた場合には、電源スイッチの電源投入機能の停止が解除されるので、リモートコントローラーの故障や紛失によって送信操作ができない場合でも電源投入機能の停止を解除することができる。
【図面の簡単な説明】
【図１】カメラ１００の回路構成を示すブロック図である。
【図２】カメラ１００の上面図である。
【図３】表示手段１８の各表示部を示す図である。
【図４】第１の実施例の動作を示すフローチャートである。
【図５】表示手段１８においてリモコン受付モードが動作中であることを示す図である。
【図６】表示手段１８において電源投入機能が停止中であることを示す図である。
【図７】第２の実施例の動作を示すフローチャートである。
【図８】第３の実施例の動作を示すフローチャートである。
【図９】第４の実施例の動作を示すフローチャートである。
【符号の説明】
１０    ＣＰＵ
１１    シャッター駆動回路
１２    ズーム駆動回路
１３    フォーカス駆動回路
１４    フィルム給送回路
１５    リモコン信号検出回路
１６    記憶回路
１７    操作スイッチ
１８    表示手段
１９    測光回路
２０    測距回路
２１    ストロボ回路
２２    本体
２２ａ  レンズ胴鏡
２３    電源スイッチ
２４    レリーズスイッチ
２５    リモコンスイッチ
２６    セルフスイッチ
２７    ストロボスイッチ
２８    フィルムカウンター表示部
２９    モード表示部
３０    ストロボ表示部
３１    セルフタイマー表示部
３２    電源ロック表示部
【図１】
2004177687.tif 000003
【図２】
2004177687.tif 000004
【図３】
2004177687.tif 000005
【図４】
2004177687.tif 000006
【図５】
2004177687.tif 000007
【図６】
2004177687.tif 000008
【図７】
2004177687.tif 000009
【図８】
2004177687.tif 000010
【図９】
2004177687.tif 000011